(57)【要約】【課題】特に最高圧力０．２ＭＰａＧ未満で使用される低圧冷媒を用いたターボ冷凍装置において、蒸発器のコンパクト性を保ちつつ、液相状の冷媒がターボ圧縮機側にキャリーオーバーされることによる効率低下や機器の損傷を回避する。【解決手段】蒸発器７は、凝縮された冷媒が導入される圧力容器２１と、この圧力容器２１の下部に設けられる冷媒入口と、圧力容器２１の上部に設けられる冷媒出口と、圧力容器２１の内部を通過し、その内部に被冷却液を流通させ、該被冷却液を前記冷媒と熱交換させる伝熱管群２５と、圧力容器２１の内部において冷媒出口と伝熱管群２５との間に設置され、前記冷媒の気液分離を行うデミスタ２７と、を具備し、デミスタ２７の周部と圧力容器２１の内周面との間に離間部２７Ａ（例えば複数の切欠き２７ａ）が設けられている。離間部２７Ａは、デミスタ２７の長手方向に沿う側辺に設けられている。【選択図】図５
2017190926.tif 000002
【特許請求の範囲】
【請求項１】
凝縮された冷媒が導入される圧力容器と、
前記圧力容器の下部に設けられる冷媒入口と、
前記圧力容器の上部に設けられる冷媒出口と、
前記圧力容器の内部を通過し、その内部に被冷却液を流通させ、該被冷却液を前記冷媒と熱交換させる伝熱管群と、
前記圧力容器の内部において前記冷媒出口と前記伝熱管群との間に設置され、前記冷媒の気液分離を行うデミスタと、
を具備し、
前記デミスタの周部と前記圧力容器の内周面との間に離間部が設けられている蒸発器。
【請求項２】
前記圧力容器は水平方向に延在する円胴シェル形状であり、
前記離間部は、前記デミスタにおける前記圧力容器の軸方向に沿う側辺に設けられている請求項１に記載の蒸発器。
【請求項３】
前記圧力容器は水平方向に延在する円胴シェル形状であり、
前記伝熱管群は前記圧力容器の内部を長手軸方向に通過するように設置され、
前記離間部は、前記伝熱管群の上流部側に偏倚して設けられている請求項１または２に記載の蒸発器。
【請求項４】
前記圧力容器は水平方向に延在する円胴シェル形状であり、
前記伝熱管群は、前記圧力容器内部の長手軸方向一端から他端まで延びる往路管群と、前記圧力容器内部の長手軸方向他端において前記往路管群に連通し、前記圧力容器内部の長手軸方向他端から一端まで戻る復路管群と、を具備し、
前記圧力容器の内部において前記往路管群が下方に配置され、前記復路管群が上方に配置されている請求項１から３のいずれかに記載の蒸発器。
【請求項５】
前記デミスタは前記伝熱管群の直上部に配置されている請求項１から４のいずれかに記載の蒸発器。
【請求項６】
最高圧力０．２ＭＰａＧ未満で使用される低圧冷媒を圧縮するターボ圧縮機と、
圧縮された前記低圧冷媒を凝縮させる凝縮器と、
膨張した前記低圧冷媒を蒸発させる請求項１から５のいずれかに記載の蒸発器と、
を具備してなるターボ冷凍装置。
【発明の詳細な説明】
【技術分野】
【０００１】
本発明は、低圧冷媒を気化させる蒸発器、これを備えたターボ冷凍装置に関するものである。
【背景技術】
【０００２】
例えば地域冷暖房の熱源用として使用されているターボ冷凍装置は、周知のように、冷媒を圧縮するターボ圧縮機と、圧縮された冷媒を凝縮させる凝縮器と、凝縮された冷媒を膨張させる膨張弁と、膨張した冷媒を蒸発させる蒸発器とを備えて構成されている。
【０００３】
特許文献１には、ターボ冷凍装置の蒸発器として一般的な、いわゆるプール沸騰式シェルアンドチューブ型蒸発器が記載されている。このような蒸発器は、水平方向に延在する円胴シェル形状の圧力容器を備えており、この圧力容器を長手軸方向に貫通するように、水等の被冷却液を通過させる伝熱管群が配設されている。また、圧力容器の内部には、伝熱管群の下方に多数の冷媒流通孔が穿設された冷媒分配板が設けられ、伝熱管群の上方にデミスタ（エリミネータ、ミストセパレータとも呼ばれる）が設けられている。
【０００４】
ターボ圧縮機により圧縮され、凝縮器にて凝縮された液相状の冷媒は、膨張弁によって圧力を低減された後、圧力容器の下部に設けられた冷媒入口から圧力容器内に流入し、冷媒分配板の多数の冷媒流通孔を通過することによって圧力容器の内部全域に拡散され、伝熱管群を液没させる液面高まで貯留されて伝熱管群と熱交換する。これにより伝熱管群の内部を流れる被冷却液が冷却され、この冷却された被冷却液が空調用の冷熱媒や工業用冷却液として利用される。
【０００５】
伝熱管群と熱交換した液相状の冷媒は温度差により気化（沸騰）する。そして、デミスタを通過する際に液相分を除去され、気相状の冷媒のみが圧力容器の上部に設けられた冷媒出口から出てターボ圧縮機に吸入されて再び圧縮される。
【先行技術文献】
【特許文献】
【０００６】
【特許文献１】特開昭６１−２８０３５９号公報
【発明の概要】
【発明が解決しようとする課題】
【０００７】
最高圧力０．２ＭＰａＧ未満で使用されるＲ１２３３ｚｄ等の低圧冷媒は、ターボ冷凍装置を高効率化させることができ、しかも地球温暖化係数が低いことから、次世代冷媒として期待されている。このような低圧冷媒は、Ｒ１３４ａ等の高圧冷媒に比べてガス比体積が５倍程度大きくなる物質特性を示すため、蒸発器の内部において伝熱管群と熱交換して沸騰した際に沸騰泡が大きくなり、激しい沸騰状態となる。しかも、蒸発器内部における気化冷媒の体積流量が高圧冷媒に比べて格段に大きいため、蒸発器内部における気化冷媒の流速が高くなる。
【０００８】
このため、圧力容器の内部において、デミスタによる気液分離が完全になされず、まだ気化していない液相状の冷媒（液滴）が、冷媒出口に向かって流れる気化冷媒の速い流れに乗って冷媒出口から放出されてしまう、いわゆるキャリーオーバー（気液同伴）と呼ばれる現象が起こりやすい。このような、蒸発しきっていない冷媒の液滴がターボ圧縮機に吸入されると、ターボ圧縮機の圧縮比が低下して効率が落ちるとともに、ターボ圧縮機のブレード等を損傷させる虞がある。
【０００９】
このため、キャリーオーバーが発生しにくいように、圧力容器の直径を大きくするとともに、伝熱管群のチューブピッチを大きくして圧力容器内における気化冷媒の流速を低減させ、併せて伝熱管群と冷媒出口との高低差を大きくし、冷媒の液滴がその自重によって気化冷媒から分離される効果を高めている。さらに、デミスタを冷媒出口の近傍に配置して冷媒の液滴を捕捉するような対策が講じられている。
しかしながら、こうすることにより、圧力容器を始めとする蒸発器各部の寸法形状が大きくなり、ターボ冷凍装置のコンパクト性が損なわれてしまう。
【００１０】
本発明は、このような事情に鑑みてなされたものであり、特に最高圧力０．２ＭＰａＧ未満で使用される低圧冷媒を用いたターボ冷凍装置において、蒸発器のコンパクト性を保ちつつ、液相状の冷媒がターボ圧縮機側にキャリーオーバーされることによる効率低下や機器の損傷を回避することができる蒸発器、これを備えたターボ冷凍装置を提供することを目的とする。
【課題を解決するための手段】
【００１１】
上記課題を解決するために、本発明は、以下の手段を採用する。
本発明の第１態様に係る蒸発器は、凝縮された冷媒が導入される圧力容器と、前記圧力容器の下部に設けられる冷媒入口と、前記圧力容器の上部に設けられる冷媒出口と、前記圧力容器の内部を通過し、その内部に被冷却液を流通させ、該被冷却液を前記冷媒と熱交換させる伝熱管群と、前記圧力容器の内部において前記冷媒出口と前記伝熱管群との間に設置され、前記冷媒の気液分離を行うデミスタと、を具備し、前記デミスタの周部と前記圧力容器の内周面との間に離間部が設けられたものである。
【００１２】
上記のように、冷媒の気液分離を行うデミスタの周部と、圧力容器の内周面との間に離間部を設けることにより、デミスタを下方から上方に通過した冷媒の液滴を、離間部を経てデミスタの下方に迅速に戻すことができる。このため、デミスタの上方に滞留する冷媒液滴の量を減少させ、この冷媒液滴が気化冷媒の流れに乗って冷媒出口からターボ圧縮機側にキャリーオーバーされることを防止できる。
【００１３】
そして、このようにデミスタ上における冷媒液滴の量を減少させることができるため、圧力容器の直径を大きくしたり、伝熱管群のチューブピッチを大きくしたりして圧力容器内における気化冷媒の流速を低減させる必要性が低下する。したがって、特に最高圧力０．２ＭＰａＧ未満で使用される低圧冷媒を用いる場合においては、蒸発器のコンパクト性を保ちつつ、液相状の低圧冷媒がターボ圧縮機側にキャリーオーバーされることによる効率低下や機器の損傷を抑制することができる。
【００１４】
上記構成において、前記圧力容器は水平方向に延在する円胴シェル形状であり、前記離間部は、前記デミスタにおける前記圧力容器の軸方向に沿う側辺に設けられている構成としてもよい。
【００１５】
円胴シェル形状の圧力容器の内部を軸方向に見た場合、デミスタを下方から上方に通過した気化冷媒は、圧力容器の上部中心に設けられた冷媒出口に向かう上昇気流を形成するが、同時に、この上昇気流の両側に、下方に向かってループを描く下降気流を形成する。この下降気流は、円筒形の圧力容器の内面に沿ってデミスタの離間部に向かう。このため、デミスタを通過した冷媒液滴を、この下降気流により離間部に誘導してデミスタの下方に戻すことができる。これにより、デミスタを通過した冷媒液滴を、より効果的にデミスタ下部に戻し、ターボ圧縮機側へのキャリーオーバーを防止することができる。
【００１６】
上記構成において、前記圧力容器は水平方向に延在する円胴シェル形状であり、前記伝熱管群は前記圧力容器の内部を長手軸方向に通過するように設置され、前記離間部は、前記伝熱管群の上流部側に偏倚して設けられている構成としてもよい。
【００１７】
円胴シェル形状の圧力容器の内部において、伝熱管群の上流部側では、その内部を流れる被冷却液と液冷媒との相対温度差が大きいために液冷媒が激しく沸騰するが、伝熱管群の下流側に向かうにつれて液冷媒の沸騰度合いは低下する。したがって、液冷媒の沸騰が激しく、液冷媒の液滴がデミスタを通過してしまいやすい位置に離間部を設けることにより、デミスタを通過した冷媒液滴を離間部からデミスタの下方に迅速に戻し、ターボ圧縮機側へのキャリーオーバーを有効に防止することができる。
【００１８】
上記構成において、前記圧力容器は水平方向に延在する円胴シェル形状であり、前記伝熱管群は、前記圧力容器内部の長手軸方向一端から他端まで延びる往路管群と、前記圧力容器内部の長手軸方向他端において前記往路管群に連通し、前記圧力容器内部の長手軸方向他端から一端まで戻る復路管群と、を具備し、前記圧力容器の内部において前記往路管群が下方に配置され、前記復路管群が上方に配置されている構成としてもよい。
【００１９】
本構成によれば、伝熱管内を流れる被冷却液との相対温度差が大きく、液冷媒を激しく沸騰させる往路管群が圧力容器の下部に配置され、被冷却液との温度差が小さく、液冷媒の沸騰が穏やかな復路管群が圧力容器の上部に配置される。このため、液冷媒の激しい沸騰が圧力容器内における液冷媒プールの深部で行われ、液冷媒の液面上に冷媒液滴が飛散しにくくなる。
【００２０】
また、往路管群と復路管群とが上下に重なるレイアウトであるため、例えば往路管群と復路管群とが左右に重なるレイアウトとした場合に比べて、往路管群に接触して沸騰する液冷媒の気泡の量を圧力容器の幅方向に亘って均一化することができる。
これにより、デミスタの上方における気化冷媒の上昇気流の流れを左右均等化し、局所的に流速の大きな部分が発生することを防止して、流速の速い気化冷媒の流れによって冷媒液滴がターボ圧縮機側にキャリーオーバーされることを防止できる。
【００２１】
上記構成において、前記デミスタは前記伝熱管群の直上部に配置されている構成としてもよい。
【００２２】
低圧冷媒を用いる場合、ガス流速が大きいので、噴き上がる液冷媒の液滴が自重により気化冷媒から分離されるまでの距離が比較的長くなる。このため、液滴が自重分離する位置よりも高位置にデミスタを設置すると、冷媒液面からデミスタまでの距離が長くなり、圧力容器のシェル径が大きくなってしまう。
【００２３】
上記のようにデミスタを伝熱管群の直上部に配置することにより、噴き上がる液滴量をデミスタによって減少させ、キャリーオーバー量を減少させることができる。さらに、デミスタを伝熱管群の直上部に配置することにより、デミスタ上の空間において低圧冷媒の蒸発ミストが大きな径の液滴になることを促進させ、液滴が自重分離する距離を縮めて低圧冷媒のキャリーオーバーを防止することができる。
【００２４】
本発明の第２態様に係るターボ冷凍装置は、最高圧力０．２ＭＰａＧ未満で使用される低圧冷媒を圧縮するターボ圧縮機と、圧縮された前記低圧冷媒を凝縮させる凝縮器と、膨張した前記低圧冷媒を蒸発させる請求項１から５のいずれかに記載の蒸発器と、を具備してなるものである。これにより、上記の各作用・効果を奏することができる。
【発明の効果】
【００２５】
以上のように、本発明に係る蒸発器、これを備えたターボ冷凍装置によれば、特に最高圧力０．２ＭＰａＧ未満で使用される低圧冷媒を用いたターボ冷凍装置において、蒸発器のコンパクト性を保ちつつ、液相状の冷媒がターボ圧縮機側にキャリーオーバーされることによる効率低下や機器の損傷を回避することができる。
【図面の簡単な説明】
【００２６】
【図１】本発明の実施形態に係るターボ冷凍装置の全体図である。
【図２】図１のＩＩ−ＩＩ線に沿う蒸発器の縦断面図である。
【図３】図２のＩＩＩ−ＩＩＩ線に沿う蒸発器の縦断面図である。
【図４】図２のＩＶ−ＩＶ線に沿う蒸発器の横断面図である。
【図５】図４のＶ−Ｖ線に沿って本発明の一実施形態を示す蒸発器の縦断面図である。
【発明を実施するための形態】
【００２７】
以下に、本発明の実施形態について図面を参照しながら説明する。
図１は、本発明の実施形態に係るターボ冷凍装置の全体図である。このターボ冷凍装置１は、冷媒を圧縮するターボ圧縮機２と、凝縮器３と、高圧膨張弁４と、中間冷却器５と、低圧膨張弁６と、蒸発器７と、潤滑油タンク８と、回路箱９と、インバータユニット１０と、操作盤１１等を備えてユニット状に構成されている。潤滑油タンク８は、ターボ圧縮機２の軸受や増速器等に供給する潤滑油を貯留するタンクである。
【００２８】
凝縮器３と蒸発器７は耐圧性の高い円胴シェル形状に形成され、その軸線を略水平方向に延在させた状態で互いに隣り合うように平行に配置されている。凝縮器３は蒸発器７よりも相対的に高い位置に配置され、その下方に回路箱９が設置されている。中間冷却器５と潤滑油タンク８は、凝縮器３と蒸発器７との間に挟まれて設置されている。インバータユニット１０は凝縮器３の上部に設置され、操作盤１１は蒸発器７の上方に配置されている。
【００２９】
ターボ圧縮機２は、電動機１３によって回転駆動される公知の遠心タービン型のものであり、その軸線を略水平方向に延在させた姿勢で蒸発器７の上方に配置されている。電動機１３はインバータユニット１０によって駆動される。ターボ圧縮機２は後述するように蒸発器７の冷媒出口２３から吸入管１４を経て供給される気相状の冷媒を圧縮する。冷媒としては、例えば最高圧力０．２ＭＰａＧ未満で使用されるＲ１２３３ｚｄ等の低圧冷媒が用いられる。
【００３０】
ターボ圧縮機２の吐出口と凝縮器３の上部との間が吐出管１５により接続され、凝縮器３の底部と中間冷却器５の底部との間が冷媒管１６により接続されている。また、中間冷却器５の底部と蒸発器７との間が冷媒管１７により接続され、中間冷却器５の上部とターボ圧縮機２の中段との間が冷媒管１８により接続されている。冷媒管１６には高圧膨張弁４が設けられ、冷媒管１７には低圧膨張弁６が設けられている。
図２および図３に示すように、蒸発器７は、水平方向に延在する円胴シェル形状の圧力容器２１と、この圧力容器２１の下部に設けられる冷媒入口２２と、圧力容器２１の上部に設けられる冷媒出口２３と、圧力容器２１の内部を長手軸方向に通過する伝熱管群２５と、冷媒分配板２６と、デミスタ２７とを具備して構成されている。
【００３１】
冷媒入口２２と冷媒出口２３は、それぞれ円胴シェル形状に形成されてその軸線を略水平方向に延在させる圧力容器２１の長手軸方向中間部に配置されており、冷媒入口２２は圧力容器２１の底部から水平且つ接線状に延出する短いパイプ状に形成され、冷媒出口２３は圧力容器２１の上部から鉛直上方に延出する短いパイプ状に形成されている。図１に示すように、冷媒入口２２には中間冷却器５の底部から延出する冷媒管１７が接続され、冷媒出口２３にはターボ圧縮機２の吸入管１４が接続されている。
【００３２】
圧力容器２１の内部には、その一端（例えば図２に向かって左端）の下側に入口チャンバ３１、その上に出口チャンバ３２が、それぞれ独立した部屋として設けられている。また、圧力容器２１の内部他端（例えば図２に向かって右端）にはＵターンチャンバ３３が独立した部屋として設けられている。これらのチャンバ３１，３２，３３はいずれもデミスタ２７よりも下方に配置されている。入口チャンバ３１には入口ノズル３４が設けられ、出口チャンバ３２には出口ノズル３５が設けられている。
【００３３】
図２および図３、図５に示すように、伝熱管群２５は、圧力容器２１内部の長手軸方向一端（図２中の左端）から他端（図２中の右端）まで延びる往路管群２５Ａと、圧力容器２１内部の長手軸方向他端において往路管群２５Ａに連通し、圧力容器２１内部の長手軸方向他端から一端まで戻る復路管群２５Ｂとを備えている。具体的には、往路管群２５Ａは入口チャンバ３１とＵターンチャンバ３３の下部との間を繋ぐように配設され、復路管群２５Ｂは出口チャンバ３２とＵターンチャンバ３３の上部との間を繋ぐように配設されている。即ち、往路管群２５Ａは圧力容器２１の内部下方に配置され、復路管群２５Ｂは圧力容器２１の内部上方に配置されている。
【００３４】
入口ノズル３４からは、冷媒と熱交換器して冷却される被冷却液として、例えば水（水道水、精製水、蒸留水等）が流入するようになっている。この水は、入口チャンバ３１から流入して往路管群２５Ａを流れ、Ｕターンチャンバ３３にてＵターンした後、復路管群２５Ｂを流れ、出口チャンバ３２を経て出口ノズル３５から冷水として流出する。
【００３５】
図３に示すように、伝熱管群２５を構成する往路管群２５Ａと復路管群２５Ｂは、それぞれ多数の伝熱管が束ねられた伝熱管束２５ａが水平方向に複数（例えば４つずつ）平行に配列された構成である。各伝熱管束２５ａの間には鉛直方向に延びる空隙Ｓ１が形成されている。また、往路管群２５Ａと復路管群２５Ｂとの間には水平方向に延びる空隙Ｓ２が形成されている。
【００３６】
図２に示すように、伝熱管群２５（２５Ａ，２５Ｂ）を構成する個々の伝熱管は、圧力容器２１の内部において複数の伝熱管支持板３７に支持されながら圧力容器２１の内部に固定されている。これらの伝熱管支持板３７は、圧力容器２１の長手軸方向に交差する面方向を有する平板状であり、圧力容器２１の長手軸方向に間隔を空けて複数配置され、圧力容器２１の内面に固定されている。伝熱管支持板３７には多数の貫通穴が穿設されており、これらの貫通穴に伝熱管が密に挿通されている。
【００３７】
一方、図２、図３、図５に示すように、冷媒分配板２６は、圧力容器２１の内部において冷媒入口２２と伝熱管群２５（往路管群２５Ａ）との間に設置されている。この冷媒分配板２６は、多数の冷媒流通孔２６ａが穿設された板状の部材である。
【００３８】
図２、図３、図５に示すように、デミスタ２７は、圧力容器２１の内部において冷媒出口２３と伝熱管群２５（復路管群２５Ｂ）との間に配置されている。デミスタ２７は、例えばワイヤーをメッシュ状に絡め合わせた通気性に富む部材であり、低圧冷媒の気液分離を行うものである。ワイヤーメッシュに限らず、通気性が良ければ他の多孔状の物質であってもよい。
【００３９】
図４にも示すように、デミスタ２７は、その周縁部が圧力容器２１の内周に接するように取り付けられており、このデミスタ２７を境に圧力容器２１の内部空間が上下に二分されている。また、デミスタ２７の設置高さは、伝熱管群２５（２５Ｂ）の直上部とされている。具体的には、伝熱管群２５（２５Ｂ）とデミスタ２７との間隔はチューブ配置ピッチの２倍程度とされている。一方、デミスタ２７と冷媒出口２３との間には比較的大きな高低差（例えば圧力容器２１の直径の５０％程度以上）が設けられている。
【００４０】
図５、図２、図４に示すように、デミスタ２７の周部と圧力容器２１の内周面との間には離間部２７Ａが設けられている。この離間部２７Ａは、デミスタ２７における圧力容器２１の軸方向に沿う両側辺２７Ｌ，２７Ｒに、それぞれ複数の矩形の切欠き２７ａを等間隔で形成したものである。
【００４１】
また、離間部２７Ａ（切欠き２７ａ）は、伝熱管群２５の上流部側に偏倚して設けられている。即ち、図２に示すように、伝熱管群２５の上流部を構成する往路管群２５Ａが被冷却液の流入部である入口チャンバ３１に繋がる側に寄せられて設けられている。離間部２７Ａの長さは、例えばデミスタ２７の長手方向に沿う長さの約４分の１から約２分の１程度とされる。
【００４２】
離間部２７Ａ（切欠き２７ａ）の形状や間隔、縦横の大きさ、長さ等は、必ずしも図４に記載のものに限定されることはない。例えば、切欠き２７ａの長さ寸法を大きくして数量を少なくしたり、切欠き状ではなくスリット状に形成したりしてもよい。また、矩形に限らず、他の形状の切欠きとしてもよい。さらに、変形例として切欠き２７ａに代えて穴を穿設してもよい。また、離間部２７Ａは必ずしもデミスタ２７の両方の側辺２７Ｌ，２７Ｒに設けるとは限らず、片方の側辺にのみ設けることも考えられる。
【００４３】
以上のように構成された蒸発器７を備えたターボ冷凍装置１において、ターボ圧縮機２は電動機１３に回転駆動され、蒸発器７から吸入管１４を経て供給される気相状の低圧冷媒を圧縮し、この圧縮された低圧冷媒を吐出管１５から凝縮器３に送給する。
【００４４】
凝縮器３の内部では、ターボ圧縮機２で圧縮された高温の低圧冷媒が冷却水と熱交換されることにより凝縮熱を冷却されて凝縮液化される。凝縮器３で液相状になった低圧冷媒は、凝縮器３から延出する冷媒管１６に設けられた高圧膨張弁４を通過することにより膨張し、気液混合状態となって中間冷却器５に給送され、ここに一旦貯留される。
【００４５】
中間冷却器５の内部では、高圧膨張弁４にて膨張した気液混合状態の低圧冷媒が気相分と液相分とに気液分離される。ここで分離された低圧冷媒の液相分は、中間冷却器５の底部から延出する冷媒管１７に設けられた低圧膨張弁６によりさらに膨張して気液二相流となって蒸発器７に給送される。また、中間冷却器５で分離された低圧冷媒の気相分は、中間冷却器５の上部から延出する冷媒管１８を経てターボ圧縮機２の中段部に給送され、再び圧縮される。
【００４６】
図２〜図４に示すように、蒸発器７では、低圧膨張弁６において断熱膨張した後の低温な気液二相流状の低圧冷媒が冷媒入口２２から圧力容器２１の内部に流入し、冷媒分配板２６の下方で圧力容器２１の長手軸方向に分散した後、冷媒分配板２６の冷媒流通孔２６ａを通過して上方に流れる。そして、圧力容器２１の内部で低圧冷媒のプールが形成される。この低圧冷媒プールの液面レベルは、伝熱管群２５（２５Ｂ）とデミスタ２７との間となるように自動調整される。
【００４７】
伝熱管群２５（２５Ａ，２５Ｂ）は、圧力容器２１の内部で低圧冷媒プール中に浸漬された状態となり、低圧冷媒と熱交換する。これにより、伝熱管群２５の内部を通過する水が冷却されて冷水になる。この冷水は空調用の冷熱媒や工業用冷却水等として利用される。
【００４８】
伝熱管群２５との熱交換により蒸発（気化）した低圧冷媒は、デミスタ２７によって気液分離される。即ち、気化した低圧冷媒（気化冷媒）が圧力容器２１の内部を冷媒出口２３に向かう時には、高圧冷媒に比べて比体積が大きい低圧冷媒の特性によって速い流れが形成される。このため、低圧冷媒プールから噴き上げられた未気化の液相冷媒の液滴が、気化冷媒の速い流れに同伴して冷媒出口２３から出ようとし、キャリーオーバーが発生する虞がある。
【００４９】
しかし、この液滴は多孔状のデミスタ２７に捕捉されて分離され、重力により低圧冷媒プールに落下するため、キャリーオーバーが防止される。このように気液分離された気化冷媒は、冷媒出口２３から出て吸入管１４を経て再びターボ圧縮機２に吸入・圧縮され、以下、この冷凍サイクルが繰り返される。
【００５０】
本実施形態における蒸発器７は、デミスタ２７の周部と圧力容器２１の内周面との間に離間部２７Ａを設けたものである。離間部２７Ａは、デミスタ２７における圧力容器２１の軸方向に沿う両側辺２７Ｌ，２７Ｒに設けられている。このような離間部２７Ａをデミスタ２７に設けることにより、デミスタ２７を下方から上方に通過した冷媒の液滴を、離間部２７Ａを経てデミスタ２７の下方に迅速に戻すことができる。
【００５１】
即ち、図５に示すように、円胴シェル形状の圧力容器２１の内部を軸方向に見た場合、デミスタ２７を下方から上方に通過した気化冷媒は、圧力容器２１の上部中心に設けられた冷媒出口２３（図５には非図示）に向かう上昇気流Ｕを形成するが、同時に、この上昇気流Ｕの両側に、下方に向かってループを描く下降気流Ｄを形成する。この下降気流Ｄは、円筒形の圧力容器２１の内面に沿ってデミスタ２７の離間部２７Ａに向かう。このため、デミスタ２７を通過した冷媒液滴Ｒを、この下降気流Ｄにより離間部２７Ａに誘導してデミスタ２７の下方に戻すことができる。
【００５２】
このように、デミスタ２７を下方から上方に通過した冷媒液滴Ｒを、下降気流Ｄを利用してデミスタ２７に形成した離間部２７Ａを経てデミスタ２７の下方に戻すことができるため、デミスタ２７の上方に滞留する冷媒液滴Ｒの量を減少させ、この冷媒液滴Ｒが気化冷媒の流れに乗って冷媒出口２３からターボ圧縮機２側にキャリーオーバーされることを防止することができる。
【００５３】
また、離間部２７Ａは、伝熱管群２５の上流部側に偏倚して設けられている。円胴シェル形状の圧力容器２１の内部において、伝熱管群２５の上流部側では、その内部を流れる被冷却液と液冷媒との相対温度差が大きいために液冷媒が激しく沸騰するが、伝熱管群２５の下流側に向かうにつれて液冷媒の沸騰度合いは低下する。
したがって、液冷媒の沸騰が激しく、冷媒液滴Ｒがデミスタ２７を通過してしまいやすい位置に離間部２７Ａを偏倚させて設けることにより、デミスタ２７を通過した冷媒液滴Ｒを離間部２７Ａからデミスタ２７の下方に迅速に戻しやすくし、ターボ圧縮機２側へのキャリーオーバーを有効に防止することができる。
【００５４】
さらに、伝熱管群２５のレイアウトとして、上記のように伝熱管内を流れる被冷却液との相対温度差が大きく、液冷媒を激しく沸騰させる往路管群２５Ａが圧力容器２１の下部に配置され、被冷却液との温度差が小さく、液冷媒の沸騰が穏やかな復路管群２５Ｂが圧力容器２１の上部に配置されているため、液冷媒の激しい沸騰が圧力容器２１内における液冷媒プールの深部で行われ、液冷媒の液面上に冷媒液滴Ｒが飛散しにくくなる。
【００５５】
また、このように往路管群２５Ａと復路管群２５Ｂとが上下に重なるレイアウトであるため、例えば往路管群２５Ａと復路管群２５Ｂとが左右に重なるレイアウトとした場合に比べて、往路管群２５Ａに接触して沸騰する液冷媒の気泡の量を圧力容器２１の幅方向に亘って均一化することができる。
これにより、デミスタ２７の上方における気化冷媒の上昇気流Ｕの流れを左右均等化し、局所的に流速の大きな部分が発生することを防止して、流速の速い気化冷媒の流れによって冷媒液滴Ｒがターボ圧縮機２側にキャリーオーバーされることを防止できる。
【００５６】
さらに、本実施形態では、デミスタ２７は伝熱管群２５の直上部に配置されている。低圧冷媒を用いる場合、ガス流速が大きいので、噴き上がる液冷媒の液滴（冷媒液滴Ｒ）が自重により気化冷媒から分離されるまでの距離が比較的長くなる。このため、液滴が自重分離する位置よりも高位置にデミスタ２７を設置すると、冷媒液面からデミスタ２７までの距離が長くなり、圧力容器２１のシェル径が大きくなってしまう。
【００５７】
上記のようにデミスタ２７を伝熱管群２５の直上部に配置することにより、噴き上がる液滴量をデミスタ２７によって減少させ、キャリーオーバー量を減少させることができる。さらに、デミスタ２７を伝熱管群２５の直上部に配置することにより、デミスタ２７上の空間において低圧冷媒の蒸発ミストが大きな径の液滴になることを促進させ、液滴が自重分離する距離を縮めて低圧冷媒のキャリーオーバーを防止することができる。
【００５８】
以上に説明したように、本実施形態に係る蒸発器７およびこの蒸発器７を備えたターボ冷凍装置１によれば、デミスタ２７の上方における冷媒液滴Ｒの量を減少させることができるため、圧力容器２１の直径を大きくしたり、伝熱管群２５のチューブピッチを大きくしたりして圧力容器２１内における気化冷媒の流速を低減させる必要性が低下する。
したがって、特に最高圧力０．２ＭＰａＧ未満で使用される低圧冷媒を用いる場合においては、蒸発器７のコンパクト性を保ちつつ、液相状の低圧冷媒がターボ圧縮機２側にキャリーオーバーされることによる効率低下や機器の損傷を抑制することができる。
【００５９】
なお、本発明は上記実施形態の構成のみに限定されるものではなく、適宜変更や改良を加えることができ、このように変更や改良を加えた実施形態も本発明の権利範囲に含まれるものとする。例えば、蒸発器７の圧力容器２１の形状や、その内部における各部品のレイアウト等は、本実施形態のものに限定されることはない。
【符号の説明】
【００６０】
１  ターボ冷凍装置
２  ターボ圧縮機
３  凝縮器
７  蒸発器
２１  圧力容器
２２  冷媒入口
２３  冷媒出口
２５  伝熱管群
２５Ａ  往路管群
２５Ｂ  復路管群
２６  冷媒分配板
２７  デミスタ
２７Ａ  離間部
２７ａ  切欠き
２７Ｌ，２７Ｒ  デミスタの側辺
Ｒ  冷媒液滴
【図１】
2017190926.tif 000003
【図２】
2017190926.tif 000004
【図３】
2017190926.tif 000005
【図４】
2017190926.tif 000006
【図５】
2017190926.tif 000007